(57)【特許請求の範囲】
【請求項１】
ディスク状の情報記録媒体に対して光を照射して情報を読み取る光ピップアップを支持し、前記情報記録媒体の半径方向にガイドするガイドシャフトと、前記光ピックアップを動かすための駆動モータと、螺旋溝を有しかつ前記駆動モータによって回転するスクリューと、前記螺旋溝に歯合する歯部を前記スクリューに対して接離方向に移動可能に支持する噛み合い部および前記光ピックアップに固定する固定部を有する駆動部材と、前記歯部を前記スクリュー側に適圧で押しつけるばね部材と、前記光ピックアップが前記情報記録媒体の内周または外周側の一定位置に到達した際に、前記光ピックアップの内周または外周側への移動を規制する規制部材と、この規制部材によって前記光ピックアップの移動が規制された際の前記駆動モータの脱調を検知した場合に前記光ピックアップがホーム位置にあるか否かを判断する制御手段とを備え、前記スクリューの回転を前記駆動部材を介して前記光ピックアップに伝達して、前記光ピックアップを前記スクリューに沿って移動させる光ピックアップ送り装置において、
前記スクリューを挟んで前記噛み合い部と対向した位置に設けられて該スクリューに対して離間する方向の前記噛み合い部の移動を規制するストッパーと、スクリュー支持部近傍に設けられて前記光ピックアップが前記内周または外周側の一定位置に到達した際に、前記駆動部材の噛み合い部を前記スクリュー方向に付勢する弾性部材とを備え、前記ストッパーと前記スクリューとのクリアランスを、前記歯部の前記螺旋溝への噛み込み量よりも小さく設定したことを特徴とする光ピックアップ送り装置。
【請求項２】
ディスク状の情報記録媒体を回転させるモータと、ディスク状の情報記録媒体に対して光を照射して情報を読み取る光ピップアップと、この光ピックアップを前記情報記録媒体の半径方向に移動させる請求項１記載の光ピックアップ送り装置とを備えたことを特徴とする光ディスク装置。
【発明の詳細な説明】
【０００１】
【発明の属する技術分野】
本発明は、情報記録／再生用のディスクに対して記録／再生を行うための光ピックアップ装置を駆動させる光ピックアップ送り装置、および光ピックアップ送り装置を備えた光ディスク装置に関する。
【０００２】
【従来の技術】
図５は従来の光ディスク装置の分解斜視図であり、１は装置の外装となる正面視略コ字状のトップキャビネット、２はトップキャビネット１に貼着される定格銘板、３は防塵スポンジ・サイド、４は防塵スポンジ・トップを示し、防塵スポンジ・サイド３はトップキャビネット１の内側前方の両側面に、防塵スポンジ・トップ４はトップキャビネット１の内側前方の上面に取り付けられる。
【０００３】
５は情報ディスクを出し入れする開口部を有するフロントベゼル、６はフロントベゼル５の開口部を開閉するドア、７はディスクを載置するトレイ、８は防塵スポンジ・ボトムサイド、９は防塵スポンジ・ボトム、１０は絶縁シート、１１はボトムキャビネット、１２はネジを示し、ボトムキャビネット１１上に絶縁シート１０が載置され、絶縁シート１０の両側部に防塵スポンジ・ボトムサイド８が配置され、絶縁シート１０の前方に防塵スポンジ・ボトム９が配置される。
【０００４】
１３は中央部に円筒状の凸部を有するクランパーＡ、１４はクランパーＡ１３の凸部が遊嵌する円孔を有するクランパープレート、１５はヨーク、１６はマグネットを示し、クランパーＡ１３はクランパープレート１４の上面に載置され、クランパーＡ１３の凸部内にヨーク１５およびマグネット１６が設けられる。１７は、一方の面の中央部に円筒状の凸部を有し、反対面の中央部に凹部を有するクランパーＢを示し、クランパーＢ１７の凸部がクランパーＡ１３の凸部に嵌合することにより、クランパーＢ１７はクランパーＡ１３とともにクランパープレート１４に回転可能に取り付けられる。
【０００５】
１８はネジ、１９はホルダーＡ、２０はホルダーＢ、２１はサブシャフト、２２はホルダーＣ、２３はメインシャフト、２４はＴｅｅｔｈＢ、２５はＴｅｅｔｈバネ、２６はＴｅｅｔｈピン、２７はＴｅｅｔｈＡ、２８はネジを示し、メインシャフト２３およびサブシャフト２１によって光ピックアップＰＵが移動可能に支持され、メインシャフト２３の両端はホルダーＢ２０とホルダーＣ２２とによって支持され、サブシャフト２１の両端はホルダーＡ１９とホルダーＣ２２とによって支持される。ＴｅｅｔｈＢ２４はネジ２８によって光ピックアップＰＵに固定され、またＴｅｅｔｈＢ２４にはＴｅｅｔｈＡ２７が後述するスクリュー３５ａに対して接離可能に設けられ、また、ＴｅｅｔｈＢ２４とＴｅｅｔｈＡ２７との間には、コイル状のＴｅｅｔｈバネ２５が配置されており、Ｔｅｅｔｈバネ２５の両端部はＴｅｅｔｈＢ２４およびＴｅｅｔｈＢ２４に対向するＴｅｅｔｈＡ２７の面に立設されたＴｅｅｔｈピン２６，２６に遊嵌する。
【０００６】
２９は可撓性を有する配線基板であるスピンドルモータフレキ、３０は光ディスクを回転させるスピンドルモータ、３１は防振ゴム、３２はシャーシ、３３はネジ、３４はネジ、３５はパルスモータからなるシークモータ、３６は防振ゴムを示す。スピンドルモータ３０にはスピンドルモータフレキ２９が接続され、スピンドルモータフレキ２９を介して電源が供給される。シャーシ３２の四隅には防振ゴム３１，３１，３６，３６が取り付けられ、シャーシ３２の前方にはスピンドルモータ３０がネジ３４，３４によって取り付けられる。さらに、シャーシ３２には、シャーシ３２の側部に沿ってメインシャフト２３およびサブシャフト２１が配置されるようにホルダーＡ１９、ホルダーＢ２０およびホルダーＣ２２，２２が取り付けられ、光ピックアップＰＵの側方に、シークモータ３５がネジ３３によって固定される。
【０００７】
シークモータ３５にはスクリュー３５ａが設けられており、シークモータ３５およびスクリュー３５ａはシークモータホルダー３５ｂに支持され、このシークモータホルダー３５ｂが、スクリュー３５ａに形成された螺旋溝にＴｅｅｔｈＡ２７の歯部が歯合するように、シャーシ３２上に設置される。通常は、Ｔｅｅｔｈバネ２５の付勢によって歯合状態が維持される。そして、シークモータ３５が回転するとともにスクリュー３５ａが回転し、スクリュー３５ａの回転がＴｅｅｔｈＡ２７に伝達されて、ＴｅｅｔｈＡ２７がスクリュー３５ａに沿って移動することにより、光ピックアップＰＵがシーク移動するようになる。
【０００８】
３７，３８はネジ、３９はエレベータスポンジ、４０はストッパー、４１はエレベータ、４２はネジ、４３はフレーム、４９はローディングモータを示す。フレーム４３にはトレイ７を前後移動させるための駆動源となるローディングモータ４９が設けられている。エレベータ４１にはエレベータスポンジ３９，ストッパー４０が取り付けられ、さらに、防振ゴム３１，３１，３６，３６が取り付けられたシャーシ３２の四隅がネジによってエレベータ４１に取り付けられる。そして、エレベータ４１がネジ３７によってフレーム４３に設置される。
【０００９】
４４は熱伝導シート、４５は熱伝導シート、４６はメインＰＣＢ、４７はフロントＰＣＢを示す。メインＰＣＢ４６の裏面には熱伝導シート４４，４５が設置されており、メインＰＣＢ４６とはフロントＰＣＢ４７はフレキシブル配線基板によって接続されており、メインＰＣＢ４６はフレーム４３の中央開口部に配置され、フロントＰＣＢ４７はフレーム４３の前側の下面に配置される。さらに光ピックアップＰＵの上方にトレイ７が配置され、その上にクランパープレート１４を配設する。
【００１０】
そして、トップキャビネット１とボトムキャビネット１１との間に各種部品が搭載されたフレーム４３およびフロントベゼル５を配置し、ネジ１２によってトップキャビネット１とボトムキャビネット１１を固定することにより、光ディスク装置が構成される。
【００１１】
図６は従来の光ピックアップ送り装置の概略構成を示す平面図であり、２４ａはＴｅｅｔｈＢ２４の一部から延出するアーム、１００はシャーシ３２に設けられたホームスイッチを示す。シークモータ３５を駆動させて光ピックアップＰＵが内周に来た場合に、アーム２４ａがホームスイッチ１００を押すことによりホーム位置を検出するようになっている。
【００１２】
ところで、従来より、ＣＤ−ＲＯＭ，ＣＤ−Ｒ，ＣＤ−ＲＷ，ＤＶＤ-ＲＯＭなどのディスクに対する再生および／または記録を行う記録／再生装置において、近年光ピックアップを駆動させるシークモータをパルス式にして、スクリューと一体化する構成とするものがある。これはスペースの簡略化，低コスト化が主な目的である。
【００１３】
また、更なるコストダウンを図るために光ピックアップのホーム位置を検出するホームセンサー若しくはスイッチを削除し、一定位置のストッパーでモータを脱調させ、その電流増加でホーム位置を検出する方式を取るものもある。
【００１４】
【発明が解決しようとする課題】
しかし、モータを脱調させてホーム位置を検出する方式の光ディスク装置では、モータの脱調時においてスクリューの螺旋溝から噛み合い部（ＴｅｅｔｈＡ）が外れて歯跳び現象による騒音問題や、脱調時の噛み合い部の振動による騒音が発生する。
【００１５】
通常、光ディスク装置においては、Ｔｅｅｔｈバネ２５を取り付けるために、図７に示すように、ＴｅｅｔｈＡ２７とＴｅｅｔｈＢ２４の間隔ａが、ＴｅｅｔｈＡ２７とシークモータ３５のスクリュー３５ａとのに噛み込み量ｂに対して大きく設定されており、これが歯跳びし易い原因となっている。そこで、脱調時の歯跳びをなくすためＴｅｅｔｈＡ２７をスクリュー３５ａに付勢しているＴｅｅｔｈバネ２５の応力を大きくすることが考えられる。しかし、この場合、特にＴｅｅｔｈＡ２７およびスクリュー３５ａの耐久性に問題が生じる。
【００１６】
本発明は、このような問題点を解決し、駆動モータの脱調時においても歯跳び現象をなくし、さらに噛み合い部の振動を押さえることにより低コスト，低騒音を実現した光ピックアップ送り装置および情報ディスク装置を提供することにある。
【００１７】
【課題を解決するための手段】
前記目的を達成するため、請求項１に係る発明は、ディスク状の情報記録媒体に対して光を照射して情報を読み取る光ピップアップを支持し、前記情報記録媒体の半径方向にガイドするガイドシャフトと、前記光ピックアップを動かすための駆動モータと、螺旋溝を有しかつ前記駆動モータによって回転するスクリューと、前記螺旋溝に歯合する歯部を前記スクリューに対して接離方向に移動可能に支持する噛み合い部および前記光ピックアップに固定する固定部を有する駆動部材と、前記歯部を前記スクリュー側に適圧で押しつけるばね部材と、前記光ピックアップが前記情報記録媒体の内周または外周側の一定位置に到達した際に、前記光ピックアップの内周または外周側への移動を規制する規制部材と、この規制部材によって前記光ピックアップの移動が規制された際の前記駆動モータの脱調を検知した場合に前記光ピックアップがホーム位置にあるか否かを判断する制御手段とを備え、前記スクリューの回転を前記駆動部材を介して前記光ピックアップに伝達して、前記光ピックアップを前記スクリューに沿って移動させる光ピックアップ送り装置において、前記スクリューを挟んで前記噛み合い部と対向した位置に設けられて該スクリューに対して離間する方向の前記噛み合い部の移動を規制するストッパーと、スクリュー支持部近傍に設けられて前記光ピックアップが前記内周または外周側の一定位置に到達した際に、前記駆動部材の噛み合い部を前記スクリュー方向に付勢する弾性部材とを備え、前記ストッパーと前記スクリューとのクリアランスを、前記歯部の前記螺旋溝への噛み込み量よりも小さく設定したことを特徴とする。このように構成したことにより、駆動モータが脱調時でも歯部がスクリューの螺旋溝から外れることを無くすることができる。
【００２２】
請求項２に係る発明は、ディスク状の情報記録媒体を回転させるモータと、ディスク状の情報記録媒体に対して光を照射して情報を読み取る光ピップアップと、この光ピックアップを前記情報記録媒体の半径方向に移動させる請求項１記載の光ピックアップ送り装置とを備えたことを特徴とする。このように構成したことにより、低騒音の光ディスク装置が実現できる。
【００２３】
【発明の実施の形態】
以下、本発明の実施形態について、図面を参照しながら詳細に説明する。なお、図５〜図７に示した従来技術における部材と同一の部材については同一の符号を付すことにより、詳細な説明は省略する。
【００２４】
図１は本発明の実施形態の参考例である光ピックアップ送り装置を有する光ディスク装置の概略構成を示す平面図、図２は図１におけるスクリューとＴｅｅｔｈＡとの噛み合い部付近の構成を示す平面図であり、２４ｂはＴｅｅｔｈバネ２５の両側に立設させたストッパー、１０１はストッパー２４ｂとＴｅｅｔｈバネ２５との間でかつＴｅｅｔｈバネ２５の周囲に設けられたゴムパッキンを示す。
【００２５】
本参考例は、図６に示すようなホームスイッチ１００を用いてホーム位置検出を行う方式ではなく、その代わりにホルダーＢ２０に光ピックアップＰＵの一部を当接させて光ピックアップＰＵをストップさせた位置をホーム位置とし、光ピックアップＰＵがディスクの内周側に移動してホルダーＢ２０に当接したときに、シークモータ３５が脱調して電流増加を検出することによってホーム位置検出を行う方式を採用したものである。
【００２６】
また、図２においてＴｅｅｔｈＢ２４にストッパー２４ｂが設置されており、ＴｅｅｔｈＡ２７とのクリアランスｃが、ＴｅｅｔｈＡ２７がスクリュー３５ａに噛み込んだときの噛み込み量ｂよりも小さく設定されている。ここで、噛み込み量ｂは、ＴｅｅｔｈＡ２７の高さをｘ、スクリュー３５ａの螺旋溝の深さをｙとしたとき、ｂ＜ｘ＋ｙの関係が成り立つものとする。また、ゴムパッキン１０１はＴｅｅｔｈバネ２５の付勢方向に弾性変形するものであり、ＴｅｅｔｈＢ２４とＴｅｅｔｈＡ２７とに常時密着する。
【００２７】
このように、クリアランスｃが噛み込み量ｂよりも小さく設定されているため、歯跳びが発生することがなくなる。また、ゴムパッキン１０１がＴｅｅｔｈバネ２５の周囲に設けられているため、脱調時にスクリュー３５ａが振動した場合におけるＴｅｅｔｈＡ２７の振動を減衰させることが可能になる。その結果、脱調時における騒音を低減することが可能になる。
【００２８】
図３は本発明の実施形態の光ピックアップ送り装置におけるスクリューとＴｅｅｔｈＡ２７との噛み合い部付近の構成を示す平面図、図４はＴｅｅｔｈＡ２７付近の側面図であり、２７ａはＴｅｅｔｈＡ２７の下部からスクリュー３５ａを囲むようにＬ字形に延在してなるストッパー、１０２はシークモータホルダー３５ｂにおけるディスクの内周側に設置された板バネを示す。
【００２９】
この実施形態は、参考例におけるストッパー２４ｂおよびゴムパッキン１０１の代わりにストッパー２７ａおよび板バネ１０２を設けたものである。
【００３０】
ＴｅｅｔｈＡ２７とスクリュー３５ａとの噛み込み部に対向するストッパー２７ａの面とスクリュー３５ａとのクリアランスｄは、ＴｅｅｔｈＡ２７がスクリュー３５ａに噛み込んだときの噛み込み量ｂよりも小さく設定されている。さらに、光ピックアップＰＵがディスクの内周側に移動してホーム位置に止まった際に板バネ１０２がＴｅｅｔｈＡ２７に当接して、ＴｅｅｔｈＡ２７がスクリュー３５ａ側に付勢される。
【００３１】
このように、クリアランスｄが噛み込み量ｂよりも小さく設定されているため、歯跳びが発生することがなくなる。また、シークモータ３５の脱調時にのみ板バネ１０２の付勢力がＴｅｅｔｈＡ２７に付加されるために、スクリュー３５ａが振動した場合にＴｅｅｔｈＡ２７が振動することを防止している。その結果、脱調時における騒音を低減することが可能になる。
【００３２】
なお、図３に示した板バネ１０２を図２に示す参考例のピックアップ送り装置に設けても良い。
【００３３】
【発明の効果】
以上説明したように、本発明によれば、噛み合い部の移動量を規制するストッパーを設け、このストッパーと噛み合い部とのクリアランスを、噛み合い部の歯部がスクリューの螺旋溝から理論的に外れないクリアランスにすることにより、駆動モータが脱調しても噛み合い部の歯部がスクリューの螺旋溝から外れることがないため歯跳び現象を防止でき、騒音の発生を防止できる。
【図面の簡単な説明】
【図１】  本発明の実施形態の参考例である光ピックアップ送り装置を有する光ディスク装置の概略構成を示す平面図
【図２】  図１におけるスクリューとＴｅｅｔｈＡとの噛み合い部付近の構成を示す平面図
【図３】  本発明の実施形態の光ピックアップ送り装置におけるスクリューとＴｅｅｔｈＡとの噛み合い部付近の構成を示す平面図
【図４】  ＴｅｅｔｈＡ付近の側面図
【図５】  従来の光ディスク装置の分解斜視図
【図６】  従来の光ピックアップ送り装置の概略構成を示す平面図
【図７】  従来の他の光ピックアップ送り装置の概略構成を示す平面図
【図１】
0004038061.tif 000002
【図２】
0004038061.tif 000003
【図３】
0004038061.tif 000004
【図４】
0004038061.tif 000005
【図５】
0004038061.tif 000006
【図６】
0004038061.tif 000007
【図７】
0004038061.tif 000008